(57)【要約】      （修正有）【課題】ガソリンを安全に燃焼させることができる廃棄ガソリン処理装置を提供する。【解決手段】廃棄ガソリン処理装置Ｓは、水と界面活性剤と廃棄ガソリンを混合し、該混合した液体を貯留する混合タンク１と、バーナー５と、混合タンク１とバーナー５の燃料供給通路５１とを接続する第１の通路６と、この第１の通路６の中途に設けられ、第１の通路６内の前記混合した液体をバーナー５の燃料供給通路５１へ導く第１のポンプと、第１の通路６の中途と混合タンク１とを接続する第２の通路８と、この第２の通路８の中途に設けられ、第２の通路８内の前記混合した液体を混合タンク１へ導く第２のポンプ９と、第１の通路６の前記混合した液体をバーナー５の燃料供給通路５１又は第２の通路８へ選択的に切り替えて導く切り替え手段１０とを備えている。【選択図】図５
2011208816.tif 000002
【特許請求の範囲】
【請求項１】
水と界面活性剤と廃棄ガソリンを混合し、該混合した液体を貯留する混合タンクと、
バーナーと、
前記混合タンクと前記バーナーの燃料供給通路とを接続する第１の通路と、
この第１の通路の中途に設けられ、前記第１の通路内の前記混合した液体を前記バーナーの燃料供給通路へ導く第１のポンプと、
この第１の通路の中途と前記混合タンクとを接続する第２の通路と、
この第２の通路の中途に設けられ、前記第２の通路内の前記混合した液体を前記混合タンクへ導く第２のポンプと、
前記第１の通路の前記混合した液体を前記バーナーの燃料供給通路又は前記第２の通路へ選択的に切り替えて導く切り替え手段と、
を備えていることを特徴とする廃棄ガソリン処理装置。
【請求項２】
混合タンクで混合する際、水と界面活性剤を混合した状態へ廃棄ガソリンを供給して混合させる
ことを特徴とする請求項１記載の廃棄ガソリン処理装置。
【請求項３】
水と界面活性剤とガソリンを混合し、該混合した液体を貯留する混合タンクと、
バーナーと、
前記混合タンクと前記バーナーの燃料供給通路とを接続する第１の通路と、
この第１の通路の中途に設けられ、前記第１の通路内の前記混合した液体を前記バーナーの燃料供給通路へ導く第１のポンプと、
この第１の通路の中途と前記混合タンクとを接続する第２の通路と、
この第２の通路の中途に設けられ、前記第２の通路内の前記混合した液体を前記混合タンクへ導く第２のポンプと、
前記第１の通路の前記混合した液体を前記バーナーの燃料供給通路又は前記第２の通路へ選択的に切り替えて導く切り替え手段と、
を備えていることを特徴とする燃焼装置。
【請求項４】
混合タンクで混合する際、水と界面活性剤を混合した状態へガソリンを供給して混合させる
ことを特徴とする請求項３記載の燃焼装置。
【発明の詳細な説明】
【技術分野】
【０００１】
本発明は、廃棄ガソリン処理装置及び燃焼装置に係り、特に、ガソリンを安全に燃焼させることができる廃棄ガソリン処理装置及び燃焼装置に関する。
【背景技術】
【０００２】
廃車に残存するガソリンには、長い間放置されて水やゴミなどの不純物が混じったものがあるため、そのままの状態では不純物が混じったガソリンは全て廃棄処理しなければならない。
そのため、資源を無駄にしないためにも、油分（ガソリン）と不純物（水やゴミ等）とを液抜き工程にて分離してガソリンを再利用するのが好ましく、液抜き工程において専用に配されるべき好適な解体機械としては、液抜きして油水を分離できる装置が挙げられる（例えば、特許文献１参照）。
【先行技術文献】
【特許文献】
【０００３】
【特許文献１】特許第４３６５０８８号公報
【発明の概要】
【発明が解決しようとする課題】
【０００４】
しかしながら、廃棄ガソリンを処理する際、油水を分離できる装置が新たに必要で、簡易に処理できないという問題点があった。
【０００５】
本発明は、上記の問題点を除去するようにした廃棄ガソリン処理装置及び燃焼装置を提供することを目的とする。
【課題を解決するための手段】
【０００６】
請求項１記載の廃棄ガソリン処理装置は、水と界面活性剤と廃棄ガソリンを混合し、該混合した液体を貯留する混合タンクと、バーナーと、前記混合タンクと前記バーナーの燃料供給通路とを接続する第１の通路と、この第１の通路の中途に設けられ、前記第１の通路内の前記混合した液体を前記バーナーの燃料供給通路へ導く第１のポンプと、この第１の通路の中途と前記混合タンクとを接続する第２の通路と、この第２の通路の中途に設けられ、前記第２の通路内の前記混合した液体を前記混合タンクへ導く第２のポンプと、前記第１の通路の前記混合した液体を前記バーナーの燃料供給通路又は前記第２の通路へ選択的に切り替えて導く切り替え手段とを備えているものである。
【０００７】
また、請求項２記載の廃棄ガソリン処理装置は、請求項１記載の廃棄ガソリン処理装置において、混合タンクで混合する際、水と界面活性剤を混合した状態へ廃棄ガソリンを供給して混合させるものである。
【０００８】
また、請求項３記載の燃焼装置は、水と界面活性剤とガソリンを混合し、該混合した液体を貯留する混合タンクと、バーナーと、前記混合タンクと前記バーナーの燃料供給通路とを接続する第１の通路と、この第１の通路の中途に設けられ、前記第１の通路内の前記混合した液体を前記バーナーの燃料供給通路へ導く第１のポンプと、この第１の通路の中途と前記混合タンクとを接続する第２の通路と、この第２の通路の中途に設けられ、前記第２の通路内の前記混合した液体を前記混合タンクへ導く第２のポンプと、前記第１の通路の前記混合した液体を前記バーナーの燃料供給通路又は前記第２の通路へ選択的に切り替えて導く切り替え手段とを備えているものである。
【０００９】
また、請求項４記載の燃焼装置は、請求項３記載の燃焼装置において、混合タンクで混合する際、水と界面活性剤を混合した状態へガソリンを供給して混合させるものである。
【発明の効果】
【００１０】
請求項１記載の廃棄ガソリン処理装置によれば、混合タンクで水と界面活性剤と廃棄ガソリンとを混合した液体をバーナーの燃料供給通路を介して燃焼させて、廃棄ガソリンを処理することができ、しかも、燃焼しないときには、切り替え手段により切り替えて、第１の通路内の混合した液体を第２の通路を介して混合タンクに戻して循環させて、混合した液体が分離しないようにして、次回の燃焼による廃棄ガソリンの処理に支障が生じないようにすることができる。
【００１１】
また、請求項２記載の廃棄ガソリン処理装置によれば、上述した請求項１記載の発明の効果に加え、混合タンクで混合する際、水と界面活性剤を混合した状態へ廃棄ガソリンを供給して混合させるため、廃棄ガソリンの気化に伴う爆発を防いで燃焼させることができる。
【００１２】
また、請求項３記載の燃焼装置によれば、混合タンクで水と界面活性剤とガソリンとを混合した混合液体をバーナーの燃料供給通路を介して燃焼させることができ、しかも、燃焼しないときには、切り替え手段により切り替えて、第１の通路内の混合した液体を第２の通路を介して混合タンクに戻して循環させて、混合した液体が分離しないようにして、次回の燃焼に支障が生じないようにすることができる。
【００１３】
また、請求項４記載の廃棄ガソリン装置によれば、上述した請求項３記載の発明の効果に加え、混合タンクで混合する際、水と界面活性剤を混合した状態へガソリンを供給して混合させるため、ガソリンの気化に伴う爆発を防いで燃焼させることができる。
【図面の簡単な説明】
【００１４】
【図１】図１は、本発明の一実施例の廃棄ガソリン処理装置の概略的説明図である。
【図２】図２は、図１の廃棄ガソリン処理装置の混合タンクに水が注入されている状態の概略的説明図である。
【図３】図３は、図２の廃棄ガソリン処理装置の混合タンクに界面活性剤が注入されている状態の概略的説明図である。
【図４】図４は、図３の廃棄ガソリン処理装置の混合タンクに廃棄ガソリンが注入されている状態の概略的説明図である。
【図５】図５は、図４の廃棄ガソリン処理装置で廃棄ガソリンが燃焼処理されている状態の概略的説明図である。
【図６】図６は、図５の廃棄ガソリン処理装置で廃棄ガソリンが燃焼処理されるのを待機している状態の概略的説明図である。
【発明を実施するための形態】
【００１５】
本発明の一実施例の廃棄ガソリン処理装置を図面を参照して説明する。
図１において、Ｓは廃棄ガソリン処理装置で、廃棄ガソリン処理装置Ｓは、水と界面活性剤と廃棄ガソリンを混合し、該混合した液体を燃焼させて処理する装置である。
１は、水と界面活性剤と廃棄ガソリンを混合し、該混合した液体を貯留する混合タンクで、この混合タンク１には、混合タンク１に貯留された液体を混合させる攪拌部材１１、空気抜き穴１２、液体の量が識別できる識別手段１３等が設けられている。なお、攪拌部材１１（図２乃至図６参照）は、例えば、モーターによって回転する回転軸に回転部材が取り付けられたものである。
【００１６】
また、２は水タンクで、水タンク２と混合タンク１とは通路２１で接続され、通路２１の中途に通路２１の通路を開閉する電磁弁２２、ポンプ２３が設けられている。
３は界面活性剤タンクで、界面活性剤タンク３と混合タンク１とは通路３１で接続され、通路３１の中途に通路３１の通路を開閉する電磁弁３２、ポンプ３３が設けられている。
４は廃棄ガソリンタンクで、廃棄ガソリンタンク４と混合タンク１とは通路４１で接続され、通路４１の中途に通路４１の通路を開閉する電磁弁４２、ポンプ４３が設けられている。
【００１７】
５はバーナーで、バーナー５には、バーナー５の燃料供給通路５１、点火装置５２，ブロワー５３等を有している（図５及び図６参照）。バーナー５の燃料供給通路５１の先端の内径は、例えば、約２cm〜約３cmで、通常のものより大きな内径となっている。これは、廃棄ガソリンの塵埃、界面活性剤等による目詰まりを防ぐためである。
また、６は第１の通路で、第１の通路６は、混合タンク１とバーナー５の燃料供給通路５１とを接続するものである。
また、第１の通路６内の混合した液体をバーナー５の燃料供給通路５１へ導く第１のポンプ（図示せず）が第１の通路６の中途、望ましくは、第１の通路６の後述する切り替え手段１０より流体流れの下流側に設けられている。
【００１８】
８は、第１の通路６の中途と混合タンク１とを接続する第２の通路で、この第２の通路８の中途に第２のポンプ９が設けられている。この第２のポンプ９は、第２の通路８内の混合した液体（水、界面活性剤、廃棄ガソリンが混合した液体）を混合タンク１へ導くものである。
また、１０は第１の通路６の混合液体をバーナー５の燃料供給通路５１又は第２の通路８へ選択的に切り替えて導く切り替え手段である。
【００１９】
従って、廃棄ガソリン処理装置Ｓにおいては、先ず、水タンク２から通路２１を介して混合タンク１に水が（図２参照）、界面活性剤タンク３から通路３１を介して混合タンク１に界面活性剤（例えば、花王株式会社製エーテル型非イオン性界面活性剤  商品名エマルゲン、市販されている洗剤）が、それぞれ供給されると共に、攪拌部材１１により攪拌され、水と界面活性剤は混合されている（図３参照）。
次に、廃棄ガソリンタンク４から通路４１を介して混合タンク１に廃棄ガソリンが供給されると共に、攪拌部材１１により攪拌され、水と界面活性剤と廃棄ガソリンは混合されている（図４参照）。
つまり、混合タンク１で廃棄ガソリンを混合する際、少なくとも、予め、攪拌部材１１により水と界面活性剤が混合された状態で廃棄ガソリンは、供給され混合されるようにしている。
これを逆に、例えば、ガソリンを攪拌している際に、水、界面活性剤を混合させると、爆発させる危険性が生じることとなる。
そして、混合タンク１で水と界面活性剤と廃棄ガソリンとを混合した液体（容積比で、水：界面活性剤：廃棄ガソリン＝１：１：１）をバーナー５の燃料供給通路５１を介して燃焼させて、廃棄ガソリンを処理することができ（図５参照）、しかも、燃焼しないときには、切り替え手段１０により切り替えて、第１の通路６内の混合した液体を第２の通路８を介して混合タンク１に戻して循環させて（図６参照）、混合した液体が分離しないようにして、次回の燃焼による廃棄ガソリンの処理に支障が生じないようにしている。
【００２０】
なお、上述した実施例においては、廃棄ガソリンを燃焼させて処理するようにしたが、廃棄ガソリンの燃焼を図示しないボイラー等の熱源として利用できる。
また、上述した実施例においては、廃棄ガソリンを使用したが、本願発明にあっては、これに限らず、通常のガソリンにも同様に適用することができる。かかる場合、発明の名称「廃棄ガソリン処理装置」は、「燃焼装置」となる。
【符号の説明】
【００２１】
Ｓ      廃棄ガソリン処理装置
１      混合タンク
５      バーナー
６      第１の通路
７      第２のポンプ
８      第２の通路
１０    切り替え手段
５１    燃料供給通路
【図１】
2011208816.tif 000003
【図２】
2011208816.tif 000004
【図３】
2011208816.tif 000005
【図４】
2011208816.tif 000006
【図５】
2011208816.tif 000007
【図６】
2011208816.tif 000008